(57)【要約】      （修正有）【課題】連続的に加熱して使用することができるとともに、温熱療法の効果を高めることができる、保温具を提供する。【解決手段】保温具１０は、加熱により発生した熱を蓄熱する蓄熱体１２と、蓄熱体を収容する袋体１４とを備えている。蓄熱体１２は、水と、ハーブから抽出された揮発性成分と、これらを吸収する吸収材とを有している。袋体１４は、水および揮発性成分が蒸発することにより発生した気体を外部へ放散させるための放散口３２ａを有している。袋体の少なくとも一部は、気密性を有する材料で形成されている。【選択図】図１
0003207539.tif 000002
【実用新案登録請求の範囲】
【請求項１】
加熱により発生した熱を蓄熱する蓄熱体と、
前記蓄熱体を収容する袋体とを備える、保温具であって、
前記蓄熱体は、水と、ハーブから抽出された揮発性成分と、これらを吸収する吸収材とを有しており、
前記袋体は、前記水および前記揮発性成分が蒸発することにより発生した気体を外部へ放散させるための放散口を有しており、
前記袋体の少なくとも一部は、気密性を有する材料で形成されている、保温具。
【請求項２】
前記揮発性成分は、ヨモギ、ビワ葉、ドクダミ、ラベンダー、ローズマリーおよびバラから選ばれる少なくとも１つのハーブから抽出された揮発性成分を有している、請求項１に記載の保温具。
【請求項３】
前記吸収材は、高分子吸収材を有している、請求項１または２に記載の保温具。
【請求項４】
前記蓄熱体は、粉状の竹炭または木炭を有している、請求項１ないし３のいずれか１項に記載の保温具。
【請求項５】
前記蓄熱体を収容した前記袋体を保持するための保持体をさらに備え、
前記保持体は、通気性を有し、身体に近接して配置される身体近接部を有しており、
前記放散口は、前記身体近接部に向けて配置されている、請求項１ないし４のいずれか１項に記載の保温具。
【請求項６】
前記身体近接部は、ヨモギ、ビワ葉、ドクダミ、ラベンダー、ローズマリーおよびバラから選ばれる少なくとも１つのハーブを収容するハーブ収容部を有しており、
前記放散口から放散された前記気体が前記ハーブ収容部に収容された前記ハーブに当てられる、請求項５に記載の保温具。
【請求項７】
前記保持体は、身体に巻かれて固定される帯状または線状の固定部を有している、請求項５または６に記載の保温具。
【考案の詳細な説明】
【技術分野】
【０００１】
本考案は、蓄熱体と蓄熱体を収容する袋体とを備える保温具に関する。
【背景技術】
【０００２】
疲労回復、筋肉痛の緩和、血行の増進、内臓機能の活性化などのために、身体を温めることが一般に行われており、従来から、身体を温めるための様々な保温具がある。例えば、下記特許文献１には、大気中の水分を吸着するシリカゲルと、シリカゲルを収容する袋体とを備える水分蒸散型の温熱パック（すなわち保温具）が開示されている。この温熱パックにおいて、袋体は通気性を有しており、シリカゲルは袋体の内部で空気に含まれた水分を吸収する。温熱パックを使用する際には、シリカゲルに吸収された水分を電子レンジで加熱し、当該水分から発生する蒸気を袋体の外部に放散させて身体を保温する。
【先行技術文献】
【特許文献】
【０００３】
【特許文献１】特許第３１０８０６４号
【０００４】
しかしながら、特許文献１の温熱パックでは、シリカゲルが空気中の水分を吸収するまでは加熱できないため、連続的に使用することが困難であるという問題があった。また、身体を蒸気熱で温めるだけの単純な温熱療法を提供できるに過ぎず、その効果が限定的であった。
【考案の概要】
【０００５】
本考案は、上記問題に対処するためになされたものであり、連続的に加熱して使用することができるとともに、温熱療法の効果を高めることができる、保温具を提供することを目的とする。
【０００６】
上記目的を達成するため、本考案に係る保温具の特徴は、加熱により発生した熱を蓄熱する蓄熱体と、前記蓄熱体を収容する袋体とを備える、保温具であって、前記蓄熱体は、水と、ハーブから抽出された揮発性成分と、これらを吸収する吸収材とを有しており、前記袋体は、前記揮発性成分が蒸発することにより発生した気体を外部へ放散させるための放散口を有しており、前記袋体の少なくとも一部は、気密性を有する材料で形成されていることにある。
【０００７】
この構成では、袋体の少なくとも一部は、気密性を有する材料で形成されているので、吸収材に吸収された水および揮発性成分は、袋体の外部に放散され難い。したがって、蓄熱体の温度が下がった場合には、これを電子レンジなどで加熱して連続的に使用することができる。また、ハーブから抽出された揮発性成分の気体を水蒸気と共に放散口から放散させて身体に当てることができるので、温熱療法の効果を高めることができる。なお、ハーブの効能は、ハーブティーやアロマテラピーなどを通じて広く一般に認識されている。
【０００８】
本考案の他の特徴は、前記揮発性成分は、ヨモギ、ビワ葉、ドクダミ、ラベンダー、ローズマリーおよびバラから選ばれる少なくとも１つのハーブから抽出された揮発性成分を有していることにある。
【０００９】
この構成では、日本国内での入手が容易なハーブを用いて、簡単に製造することができる。
【００１０】
本考案の他の特徴は、前記吸収材は、高分子吸収材を有していることにある。
【００１１】
この構成では、分子量が大きな高分子吸収材を用いているので、蓄熱体は容易に冷めず、温かさを長時間持続させることができる。
【００１２】
本考案の他の特徴は、前記蓄熱体は、粉状の竹炭または木炭を有していることにある。
【００１３】
この構成では、竹炭または木炭の作用によって、細菌の繁殖を抑制できるとともに、保温効果を高めることができる。また、竹炭または木炭は粉状であるため、電子レンジで加熱した場合でも、竹炭または木炭が過度に加熱されることを防止できる。
【００１４】
本考案の他の特徴は、前記蓄熱体を収容した前記袋体を保持するための保持体をさらに備え、前記保持体は、通気性を有し、身体に近接して配置される身体近接部を有しており、前記放散口は、前記身体近接部に向けて配置されていることにある。
【００１５】
この構成では、放散口から放散された気体を身体近接部に通して身体に当てることができる。
【００１６】
本考案の他の特徴は、前記身体近接部は、ヨモギ、ビワ葉、ドクダミ、ラベンダー、ローズマリーおよびバラから選ばれる少なくとも１つのハーブを収容するハーブ収容部を有しており、前記放散口から放散された前記気体が前記ハーブ収容部に収容された前記ハーブに当てられることにある。
【００１７】
この構成では、放散口から放散された気体をハーブ収容部に収容されたハーブに当てることができるので、当該ハーブから成分を抽出して、これを身体に当てることができる。
【００１８】
本考案の他の特徴は、前記保持体は、身体に巻かれて固定される帯状または線状の固定部を有していることにある。
【００１９】
この構成では、固定部を身体に巻くことによって、保持体を身体に固定でき、保持体で保持された蓄熱体を身体に対して位置決めできる。
【図面の簡単な説明】
【００２０】
【図１】本考案の一実施形態に係る保温具の構成を示す図であり、（Ａ）は斜視図、（Ｂ）は（Ａ）におけるＩＢ−ＩＢ線断面図である。
【図２】保温パック（蓄熱体および袋体）の構成を示す図であり、（Ａ）は平面図、（Ｂ）は（Ａ）におけるIIＢ−IIＢ線断面図である。
【図３】保温パック（蓄熱体および袋体）を折り畳んだ状態を示す斜視図である。
【図４】保持体の構成を示す図であり、（Ａ）は保持体を裏返した状態を示す斜視図、（Ｂ）は（Ａ）におけるIVＢ−IVＢ線断面図である。
【図５】ハーブ収容部にハーブ（ビワ葉）を収容する状態を示す斜視図である。
【図６】他の袋体の構成を示す斜視図である。
【図７】他の保持体の構成を示す斜視図である。
【考案を実施するための形態】
【００２１】
以下、本考案の実施形態に係る保温具について図面を参照しながら説明する。なお、以下の説明で用いる「前・後・左・右・上・下」の各方向は、図１（Ａ）中に矢印で示す各方向と一致する。
【００２２】
図１は、本考案の一実施形態に係る保温具１０の構成を示す図であり、（Ａ）は斜視図、（Ｂ）は（Ａ）におけるＩＢ−ＩＢ線断面図である。図１（Ａ），（Ｂ）に示す保持具１０は、疲労回復や筋肉痛の緩和などのために身体を温めたり、寒さをしのぐために身体を温めたりするものであり、蓄熱体１２と、袋体１４と、保持体１６とを備えている。
【００２３】
図２は、保温パック１８（蓄熱体１２および袋体１４）の構成を示す図であり、（Ａ）は平面図、（Ｂ）は（Ａ）におけるIIＢ−IIＢ線断面図である。図２（Ａ），（Ｂ）に示すように、本実施形態では、袋体１４に蓄熱体１２が収容されて保温パック１８が構成されている。
【００２４】
図２（Ｂ）に示す蓄熱体１２は、水２０と、ハーブから抽出された揮発性成分２２と、これらを吸収する吸収材２４と、粉状の竹炭２６とを有している。水２０には、細菌の繁殖を抑えるなどのために食塩が混入されている。
【００２５】
揮発性成分２２は、ヨモギから抽出された揮発性成分とビワ葉から抽出された揮発性成分とを有している。ヨモギおよびビワ葉は、日本国内での入手が容易なハーブであり、それらの効能は従来から広く一般に知られている。なお、揮発性成分２２は、ヨモギ、ビワ葉、ドクダミ、ラベンダー、ローズマリーおよびバラから選ばれる少なくとも１つのハーブから抽出された揮発性成分を有していればよく、他の種類の揮発性成分をさらに有していてもよい。
【００２６】
吸収材２４は、綿状のパルプ２４ａと、高分子吸収材２４ｂと、不織布２４ｃとを混合して構成されている。本実施形態では、高分子吸収材２４ｂとしてポリビニルアルコールが用いられており、不織布２４ｃとして合成樹脂（例えばポリエチレン、ポリプロピレンなど）からなる不織布が用いられている。なお、高分子吸収材２４ｂとしては、ポリアクリル酸ソーダ、ポリアクリル酸塩架橋物、ポリビニルピロリドン、アラビアゴム、架橋ポリアルキレンオキシド、水溶性セルロースエーテル、ヒドロキシエチルセルロース、メチルセルロース、アルギン酸ソーダ、ペクチン、アクリルスルホン酸系高分子物質、ゼラチン、ポリエチレンオキサイド、カルボキシメチルセルロースなどが用いられてもよい。
【００２７】
竹炭２６は、遠赤外線を放射する多孔質構造の物質であり、電子レンジで過度に加熱されることを防止するために、粉状に形成されている。竹炭２６が細菌を吸着することによって、蓄熱体１２における細菌の繁殖が抑えられ、竹炭２６が遠赤外線を放射することによって、蓄熱体１２の保温効果が高められる。なお、これらの効果を得るためには、竹炭２６に代えて、木炭が用いられてもよい。
【００２８】
図２（Ａ），（Ｂ）に示すように、袋体１４は、平面視で長方形の袋状に形成されている。袋体１４の一方面（下面）１４ａを構成する第１シート２８は、水２０および揮発性成分２２が蒸発することにより発生した気体を通さない気密性シートであり、合成樹脂（例えば、ポリエチレン、ポリプロピレン、ポリエステル、ポリアミドなど）によって形成されている。袋体１４の他方面（上面）１４ｂを構成する第２シート３０は、上記気体を通す通気性シートであり、合成樹脂（例えばポリエチレン、ポリプロピレンなど）からなる不織布で形成されている。なお、第２シート３０は、織物や編物で形成されてもよい。
【００２９】
図３は、保温パック１８（蓄熱体１２および袋体１４）を折り畳んだ状態を示す斜視図である。図３に示すように、本実施形態では、保温パック１８が折り畳んだ状態で使用される。保温パック１８を折り畳む際には、保温パック１８の長さ方向中央部を挟んだ左側部分１８ａおよび右側部分１８ｂが上面側に向けて二つ折りにされる。したがって、保温パック１８を折り畳んだ状態では、図３における上面、前面および後面のそれぞれに、上記気体を放散させるための放散口３２ａ，３２ｂ，３２ｃが構成されており、他の面は、気密性の第１シート２８で覆われている。なお、図２（Ａ）中の２本の一点鎖線は、左側部分１８ａおよび右側部分１８ｂのそれぞれを折るときの折り線を示している。
【００３０】
図１（Ａ），（Ｂ）に示す保持体１６は、保温パック１８（すなわち蓄熱体１２を収容した袋体１４）を保持するものであり、図１（Ｂ）に示すように、保温パック１８を収容する第１空間Ｓ１と、ハーブ３６（図５）を収容する第２空間Ｓ２とを有している。本実施形態の保持体１６は、通気性を有する織物を袋状に縫合することによって構成されており、保持体１６の上部は、内側部分３８ａと外側部分３８ｂとを有する二重構造に構成されている。保持体１６の上部は、通気性を有し、身体に近接して配置される身体近接部３８となっており、この身体近接部３８が、上記第２空間Ｓ２を構成するハーブ収容部４０を有している。なお、保持体１６は、織物に代えて、不織布や編物で構成されてもよい。
【００３１】
図１（Ｂ）に示すように、身体近接部３８において、内側部分３８ａと外側部分３８ｂとは、これらの左右方向両側縁において互いに縫合されており、これらの前後方向両側縁において互いに縫合されていない。これにより、内側部分３８ａと外側部分３８ｂとで挟まれた第２空間Ｓ２は、後端部において外部に開放されており、前端部において第１空間Ｓ１と連通されている。
【００３２】
図４は、保持体１６の構成を示す図であり、（Ａ）は保持体１６を裏返した状態を示す斜視図、（Ｂ）は（Ａ）におけるIVＢ−IVＢ線断面図である。保持体１６の第１空間Ｓ１（図１（Ｂ））に保温パック１８を収容する際には、まず、図４（Ａ），（Ｂ）に示すように、保持体１６を裏返して、第１空間Ｓ１を構成する部分を外部に露出させる。続いて、二点鎖線で示すように、外部に露出した第１空間Ｓ１に保温パック１８を折り畳んで挿入する。このとき、保温パック１８の放散口３２ａを身体近接部３８の内側部分３８ａに向けて配置する。その後、図１（Ａ），（Ｂ）に示すように、保持体１６を表に返して保持具１０を完成させる。
【００３３】
図５は、ハーブ収容部４０にハーブ３６を収容する状態を示す斜視図である。図５に示すハーブ３６はビワ葉であり、本実施形態では、２枚のビワ葉がハーブ収容部４０に収容される。図１（Ｂ）に示すように、保持具１０においては、保温パック１８の放散口３２ａが身体近接部３８に向けて配置されている。したがって、図５に示すように、身体近接部３８のハーブ収容部４０にハーブ３６を収容した状態では、放散口３２ａ（図３）から放散される気体をハーブ３６に当てて、その成分を抽出することができる。
【００３４】
図１に示す保温具１０を使用する際には、まず、保温具１０の蓄熱体１２を電子レンジで加熱する。このとき、保温パック１８を保温具１０から取り外して、保温パック１８だけを電子レンジで加熱してもよいし、保温具１０の全体を電子レンジで加熱してもよい。続いて、身体近接部３８が身体に近接するようにして、身体に対して保温具１０を固定する。図２（Ｂ）に示す水２０および揮発性成分２２が蒸発することにより発生した気体が放散口３２ａ，３２ｂ，３２ｃから放散されると、その気体は、ハーブ収容部４０に収容されたハーブ３６に当たり、その後、身体近接部３８を通過して身体に与えられる。これにより、身体が温められる。蓄熱体１２の温度が下がると、蓄熱体１２を再び電子レンジで加熱する。
【００３５】
保温具１０を使用しないときには、蓄熱体１２の劣化を防止するために、保温パック１８を冷蔵庫で保管することが望ましい。蓄熱体１２の水２０（図２（Ｂ））には、食塩が混入されているため、保温パック１８を冷凍室に入れても水２０は凍り難く、保温パック１８は硬くなり難い。したがって、冷凍室で冷却された保温パック１８を保冷具として使用することができる。
【００３６】
本実施形態によれば、上記構成により、以下の各効果を奏することができる。すなわち、図２（Ｂ）に示すように、袋体１４の少なくとも一部（第１シート２８）は、気密性を有する材料で形成されているので、吸収材２４に吸収された水２０および揮発性成分２２は、袋体１４の外部に放散され難い。したがって、蓄熱体１２の温度が下がった場合には、これを電子レンジなどで加熱して連続的に使用することができる。
【００３７】
図１（Ｂ）に示すように、ハーブから抽出された揮発性成分２２（図２（Ｂ））が蒸発することにより発生した気体を水蒸気と共に放散口３２ａから放散させることができ、この気体を身体に当てることができるので、温熱療法の効果を高めることができる。
【００３８】
図２（Ｂ）に示す揮発性成分２２は、ヨモギ、ビワ葉、ドクダミ、ラベンダー、ローズマリーおよびバラから選ばれる少なくとも１つのハーブから抽出されるので、日本国内で入手可能なこれらのハーブを使用して、保温具１０を簡単に製造することができる。
【００３９】
図２（Ｂ）に示す吸収材２４では、分子量が大きな高分子吸収材２４ｂを用いているので、蓄熱体１２は容易に冷めず、温かさを長時間持続させることができる。
【００４０】
図２（Ｂ）に示す蓄熱体１２は、粉状の竹炭２６または木炭（図示省略）を有しているので、細菌の繁殖を抑制できるとともに、保温効果を高めることができる。また、竹炭２６または木炭は粉状であるため、電子レンジで加熱した場合でも、竹炭２６または木炭が過度に加熱されることを防止できる。
【００４１】
図５に示すように、身体近接部３８は、ヨモギ、ビワ葉、ドクダミ、ラベンダー、ローズマリーおよびバラから選ばれる少なくとも１つのハーブ３６を収容するハーブ収容部４０を有しており、図３に示す放散口３２ａから放散された気体をハーブ３６に当てることができるので、ハーブ３６から成分を抽出して、これを身体に当てることができる。
【００４２】
なお、本考案の実施にあたっては、上記実施形態に限定されず、本考案の目的を逸脱しない限りにおいて種々の変更が可能である。図６は、他の袋体５０の構成を示す斜視図である。図７は、他の保持体６０の構成を示す斜視図である。
【００４３】
図３に示す袋体１４では、通気性を有する第２シート３０で放散口３２ａ，３２ｂ，３２ｃ（図３）が構成されているが、図６に示すように、袋体５０の全体が気密性を有するシート５２で形成され、シート５２における身体近接部３８（図１（Ａ），（Ｂ））に対向する部分に、放散口５４を構成する複数の孔５４ａが形成されてもよい。
【００４４】
図１に示す保持体１６は、保温パック１８を収容する袋状に構成されているが、図７に示すように、保持体６０は、身体に巻かれて固定される帯状または線状の固定部６２を有していてもよい。この保持体６０では、固定部６２の長さ方向中央部に保温パック１８を収容するための袋状の収容部６４が形成されている。収容部６４における身体に近接して配置される部分は、通気性を有する身体近接部６６となっており、袋体１４の放散口３２ａ（図３）は、身体近接部６６に向けて配置されている。
【符号の説明】
【００４５】
１０…保温具、１２…蓄熱体、１４…袋体、２０…水、２２…揮発性成分、
２４…吸収材、３２ａ，３２ｂ，３２ｃ…放散口
【図１】
0003207539.tif 000003
【図２】
0003207539.tif 000004
【図３】
0003207539.tif 000005
【図４】
0003207539.tif 000006
【図５】
0003207539.tif 000007
【図６】
0003207539.tif 000008
【図７】
0003207539.tif 000009